(57)【要約】【課題】遊技機において、遊技盤を含む遊技盤ユニットの低コスト化を可能にする。【解決手段】遊技機１は、遊技球が流下可能な遊技領域３１が形成され透光性を有する遊技盤３と、遊技盤３が固定された遊技機枠２と、遊技盤３を照射可能に遊技機枠２に設置された光源２０と、を備える【選択図】図３
2019098014.tif 000002
【特許請求の範囲】
【請求項１】
遊技球が流下可能な遊技領域が形成され透光性を有する遊技盤と、
前記遊技盤が固定された遊技機枠と、
前記遊技盤を照射可能に前記遊技機枠に設置された光源と、
を備えることを特徴とする遊技機。
【請求項２】
前記光源は、前記遊技盤の外周面に対向する前記遊技機枠の内周面に沿って複数設置されていること
を特徴とする請求項１記載の遊技機。
【請求項３】
前記光源と前記遊技盤の外周面との間に配置されて、前記光源を覆う透明カバーをさらに備えること
を特徴とする請求項１又は２に記載の遊技機。
【発明の詳細な説明】
【技術分野】
【０００１】
本発明は、弾球遊技機（パチンコ機）に代表される遊技機に関する。
【背景技術】
【０００２】
遊技中の演出効果や遊技球の視認性の向上を図る目的で、透明合成樹脂製の遊技盤にＬＥＤ等の多数の光源が設置されたパチンコ機等の遊技機が知られている（例えば、特許文献１）。
【先行技術文献】
【特許文献】
【０００３】
【特許文献１】特開２０１４−２２３２１９号公報
【発明の概要】
【発明が解決しようとする課題】
【０００４】
しかしながら、従来の遊技機においては、遊技盤に光源を設置することで遊技盤ユニット（遊技盤及び当該遊技盤に組み付けられる要素を含むユニット）の構成が複雑化する上に、機種（遊技盤の種類）ごとに遊技盤に設置する光源を実装する基板を設計して作製する必要があり、コスト上昇を招く虞がある。
【０００５】
本発明は、かかる課題に鑑みなされたものであり、低コスト化を図ることができる遊技機を提供することを目的とする。
【課題を解決するための手段】
【０００６】
上記課題を解決するため、本発明の一態様による遊技機は、遊技球が流下可能な遊技領域が形成され透光性を有する遊技盤と、前記遊技盤が固定された遊技機枠と、前記遊技盤を照射可能に前記遊技機枠に設置された光源と、を備える。
【０００７】
上記構成によると、光源を遊技盤に設置する必要が無くなるため、遊技盤を含む遊技盤ユニットの低コスト化を図ることができる。
【０００８】
上記本発明の一態様による遊技機において、前記光源は、前記遊技盤の外周面に対向する前記遊技機枠の内周面に沿って複数設置されていても良い。このようにすると、遊技盤の遊技領域の略全体を発光させることができる。
【０００９】
上記本発明の一態様による遊技機は、前記光源と前記遊技盤の外周面との間に配置されて、前記光源を覆う透明カバーをさらに備えても良い。このようにすると、遊技盤を遊技機枠に取り付ける際、遊技盤が光源に接触することを阻止して、光源の損傷を防止できる。
【発明の効果】
【００１０】
本発明の一態様によれば、遊技盤を含む遊技盤ユニットの低コスト化を図ることができる。
【図面の簡単な説明】
【００１１】
【図１】本発明に係る遊技機の斜視図である。
【図２】前扉を外した状態の遊技機の正面図である。
【図３】遊技機の分解斜視図である。
【図４】光源ユニットを遊技機枠に取り付けた状態の遊技機枠及び遊技盤の斜視図である。
【図５】図２におけるＶ−Ｖ線拡大縦断面図である。
【発明を実施するための形態】
【００１２】
以下、本発明を実施するための一実施形態を添付図面を参照しながら詳述する。なお、以下の実施形態は本出願の特許請求の範囲に係る発明を限定するものではなく、実施形態の中で説明される特徴の組み合わせの全てが発明の解決手段に必須であるとは限らない。
【００１３】
以下の説明において、遊技機の各部の方位は、その遊技機の正面に対面する者にとっての方位に合わせて説明する。
【００１４】
図１は、遊技機１の斜視図、図２は、遊技機１の正面図である。なお、図２は、説明の便宜上、後述の前扉５を省略した形態を示している。
【００１５】
図１に示すように、本実施形態に係る遊技機１は、遊技場の島設備に設置される正面視矩形枠状の遊技機枠２と、当該遊技機枠２の内側に固定される合成樹脂製の遊技盤３（図２−４参照）と、遊技盤３の裏側に配置され遊技に係る演出図柄を表示可能な表示装置４（図２参照）と、遊技機枠２の左枠部に鉛直軸回りに開閉自在に枢支され、遊技盤３に設けられる後述の遊技領域３１を目視可能に遮蔽するガラス板５１を嵌め込んだ前扉５と、遊技盤３の裏側に配置され遊技進行及び演出装置（表示装置４、各種光源、スピーカ等）を制御するための図示略の制御装置を備え、前扉５の右下部に設けられた発射ハンドル６を時計方向へ回転操作することにより、前扉５の前面下部に設けられた球貯留皿７に貯留された遊技球を遊技機枠２の下部に設置された発射装置８（図２−４参照）から遊技領域３１に打ち出すことによって、所定の遊技を行うことができる。
【００１６】
表示装置４は、例えば液晶ディスプレイから構成され、遊技に係る情報である各種キャラクタや数字等で構成される演出図柄を変動、停止表示すると共に、そのときの遊技状態に応じた動画を表示することによって遊技の演出を行う。
【００１７】
遊技盤３は、透光性樹脂板により正面視略方形に形成される。図２に示すように、遊技盤３の前面には、内外のガイドレール９Ａ、９Ｂにより包囲されるほぼ円形の遊技領域３１が形成される。遊技領域３１の左部には、発射装置８から発射された遊技球を導入して遊技領域３１に導出させるための発射通路３２、また、上部には、発射通路３２から導出された遊技球を遊技領域３１の右領域に誘導する右打ち通路３３がそれぞれ形成される。
【００１８】
遊技盤３のほぼ中央部には、表示装置４に表示される演出図柄、動画を遊技者が正面から目視可能とする表示窓３４が形成される。表示窓３４には、表示窓３４及び表示装置４の周囲を装飾するための合成樹脂製の枠状の装飾部材１０が固定される。
【００１９】
遊技盤３における遊技領域３１には、発射装置８から遊技領域３１に打ち込まれた遊技球の流下方向を変化させる多数の遊技釘１１、遊技領域３１を流下する遊技球のうち装飾部材１０の左側部に設けたワープ孔１０１に進入した遊技球を導入して左右及び前後方向へ転動可能とするステージ１２、遊技領域３１を流下する遊技球及びステージ１２の前面から落下した遊技球が入賞可能な始動入賞口１３、遊技者にとって不利な閉鎖状態（遊技球が入賞不能な状態）及び遊技者にとって有利な開放状態（遊技球が入賞可能な状態）に変化可能な大入賞装置１４、右打ち通路３３を通過した遊技球が通過可能なスルーチャッカ１５、遊技球が入賞可能な複数の一般入賞口１６、及びいずれの入賞口（始動入賞口１３、大入賞口１４、一般入賞口１６）に入賞しなかった遊技球を遊技盤３の裏側に排出するアウト口１７等が設けられる。
【００２０】
遊技盤３の裏側には、表示装置４及び制御装置に加えて、遊技盤組付け要素である、大入賞装置１４を閉鎖状態及び開放状態に変化させるための図示略のソレノイド、入賞口に入賞した遊技球を検出するための図示略の各種センサ、スルーチャッカ１５を通過した遊技球を検出するための図示略のセンサ、入賞口及びアウト口１７を通過した遊技球を遊技機１の裏側へ導くための図示略の排出路等が設置される。本実施形態においては、遊技盤３及び遊技盤組付け要素を含んで遊技盤ユニット（符号無し）が構成される。
【００２１】
通常遊技（遊技球を左打ちする遊技）において、発射装置８により遊技領域３１の左領域に導出された遊技球が始動入賞口１３に入賞すると、これを契機に、制御装置により実行される抽選の結果、所定の変動パターンに基づいて、表示装置４に表示される演出図柄が所定時間演出態様で表示演出を行った後、リーチ状態を経て演出図柄が予め定めた所定の表示態様で確定停止表示した場合には、遊技状態が大当たり状態となって、大入賞装置１４が所定のパターンで開放状態に変化する。大当たりになった場合には、遊技球を右打ちして遊技領域３１の右領域に流下させることで、短時間に多数の遊技球を大入賞装置１４に入賞させることが可能となる。
【００２２】
なお、遊技機１の遊技内容については、本発明には直接関係しないので、詳細説明は省略する。
【００２３】
図３は、遊技機１の分解斜視図、図４は、光源ユニット（光源基板１９、ＬＥＤ２０及び透明カバー２１）を遊技機枠２に取り付けた状態の遊技機枠２及び遊技盤３の斜視図、図５は、図２におけるＶ−Ｖ線拡大縦断面図である。
【００２４】
遊技盤ユニットの遊技機枠２に対する取り付けは、遊技盤３の左端部を遊技機枠２の内周の左側面に設けられた図示略の嵌合溝部に嵌合させ、この状態で、遊技盤３を後方へ押し込んで、遊技盤３の右部に設けられた係合孔３５を遊技機枠２の前面右部に支持されたロックレバー１８に嵌合させる。そして、ロックレバー１８をほぼ９０度回転操作して、ロックレバー１８を係合孔３５に離脱不能に係合させる。これにより、遊技盤３を遊技機枠２の内側に固定することができる。なお、遊技盤ユニットの遊技機枠２への取り付けは、光源ユニット（光源基板１９、ＬＥＤ２０及び透明カバー２１）を遊技機枠２に取り付けた後に行われる。
【００２５】
次に、本実施形態の特徴部分について説明する。
遊技盤３は、前述のように、透光性樹脂板によって正面視略方形に形成される。
【００２６】
遊技機枠２に固定された遊技盤３の外周面を形成する各端面（上端面３Ａ、下端面３Ｂ、左端面３Ｃ及び右端面３Ｄ）にそれぞれ対向する遊技機枠２の内周の各縁（上縁２Ａ、下縁２Ｂ、左縁２Ｃ及び右縁２Ｄ）には、光源基板１９がそれぞれ固定される。光源基板１９の表面には、遊技盤３の各端面に対向するエッジライト方式のＬＥＤ（光源）２０が光源基板１９の長手方向に沿って複数実装される。光源基板１９及びＬＥＤ２０は、遊技機枠２の内周の各縁に固定される透明樹脂材により形成される横断面コ字状の透明カバー２１により覆われる。
【００２７】
例えば、図５に示すように、遊技機枠２の内周の下縁２Ｂに設置したＬＥＤ２０を発光（点灯及び点滅を含む）させた場合には、遊技盤３の下端面３Ｂから内部に入射した光源２０の入射光Ｌは、遊技盤３における遊技領域３１の厚み方向に打ち込まれた複数の遊技釘１１や、遊技領域３１の裏面側等で乱反射する。入射光Ｌは、遊技盤３の内部、すなわち遊技盤３の前面（本例では、遊技領域３１）と背面（本例では、遊技領域３１の裏面）との間において乱反射を繰り返し、所定の入射角で遊技盤３の前面に入射した場合に、遊技盤３の前側方向（前扉５の方向）へ出射する。このようにして、ＬＥＤ２０は遊技領域３１を含む遊技盤３の下半分の表面を面発光させる。同様にして、遊技機枠２の上縁２Ａに設置したＬＥＤ２０を発光させた場合には、遊技領域３１を含む遊技盤３の上半分、同じく左縁２Ｃに設置したＬＥＤ２０を発光させた場合には、遊技領域３１を含む遊技盤３の左半分、同じく右縁２Ｄに設置したＬＥＤ２０を発光させた場合には、遊技領域３１を含む遊技盤３の右半分をそれぞれ面発光させることができる。さらには、全ての縁２Ａ−２Ｄに設置したＬＥＤ２０を同時に発光させた場合には、遊技盤３の表面全体を面発光させることができる。
【００２８】
また、遊技盤３の各端面に入射されるＬＥＤ２０からの入射光は、遊技釘１１以外にも、遊技盤３の前面に設置された各入賞口（始動入賞口１３、一般入賞口１６）、スルーチャッカ１５および大入賞装置１４等を構成する各種部品や、演出に用いられる所定の役物装置及び装飾物等で乱反射し、最終的に遊技盤３の前方方向へ出射して遊技盤３を面発光させる。
【００２９】
また、ＬＥＤ２０をカラープログラミングされたものを使用すると、遊技状態に応じて、遊技盤３における遊技領域３１の上半分、下半分、左半分、右半分を独立して発光色を変化させることができ、より照明による演出を高めることができる。
【００３０】
上述構成により、本実施形態による遊技機１は、光源基板１９及びエッジライト方式のＬＥＤ２０を、透光性を有する遊技盤３が固定された遊技機枠２に設置したことによって、次のような作用、効果を奏する。
【００３１】
従来の遊技機では、遊技盤の裏側に光拡散作用を有する透明板や光源が設置されるため、遊技盤の裏側に設置される要素が多くなり、遊技盤ユニットの奥行き寸法が大となり、各種要素のレイアウトに影響を及ぼす虞があった。しかし、本実施形態による遊技機１は、遊技盤３の裏側にＬＥＤ２０を設置する必要がないため、遊技盤３の裏面側に設置される遊技盤組付け要素を減少させることができる。
これにより、遊技機１は、遊技盤ユニットの奥行寸法の縮小が可能となり、各種要素のレイアウトに影響を及ぼすことを防止できる。さらに、遊技機１は、遊技盤ユニットの製作コスト（例えば、ＬＥＤが配置される光源基板の設計に係るコスト）の削減及び異なる機種間同士での遊技盤ユニットの共用化が可能になる。また、遊技場の島設備に設置される遊技機枠２にＬＥＤ（光源）２０が設けられるため、遊技盤の交換の際において配線等の作業負荷が軽減される。
【００３２】
また、本実施形態による遊技機１において、ＬＥＤ（光源）２０は、遊技盤３の外周面に対向する遊技機枠２の内周面に沿って設置されている。本実施形態において、光源２０は、遊技機枠２の内周面に複数設置されている。これにより、遊技機１は、遊技機枠２に設置した光源２０によって、遊技盤３の表面を広く発光させて、照明による演出の迫力を増大させて盛り上げることができる。
【００３３】
また、光源基板１９及びＬＥＤ２０は、ＬＥＤ２０と遊技盤３の外周面との間に配置されて遊技機枠２に固定された透明カバー２１により覆われるため、遊技盤３の遊技機枠２への取り付けに際し、遊技盤３がＬＥＤ２０に接触することを阻止して、ＬＥＤ２０の損傷を防止できる。
【００３４】
ＬＥＤ２０をカラープログラミングされたものを使用することによって、遊技状態に応じて、遊技盤３の発光色を変化させることができる。
【００３５】
ＬＥＤ２０を遊技盤３の各端面に対向させて設置したことによって、そのときの遊技状態に応じて、遊技盤３の発光させる領域を変化させることができる。例えば、遊技状況が通常状態で遊技球を左打ちする場合には、遊技機枠２の左縁２Ｃに設置したＬＥＤ２０を発光させることで、遊技盤３における遊技領域３１の左領域を面発光させて、左打ちであることを示唆したり、遊技球を右打ちとする場合には、遊技機枠２の上縁２Ａ及び右縁２Ｄに設置した光源２０を発光させることで、遊技領域３１の上領域及び右領域を面発光させて、そのときの遊技状態が右打ちであることを示唆したりして、遊技者に対して遊技球の打球方向を報知することができる。
【００３６】
また、遊技機１は、遊技機枠２の内周に沿って設置されたＬＥＤ（光源）２０の点灯態様を変化させることにより、遊技盤３の面発光による種々の演出（遊技盤発光演出）を実現することができる。遊技盤発光演出として、例えば、各光源基板１９においてＬＥＤ２０を順次点灯させることにより遊技盤３において面発光する領域が回転するような演出や、ＬＥＤ２０を明滅させることによって遊技盤３の面発光する領域を明滅表示させる演出等を実現することができる。
【００３７】
なお、本実施例においては、ＬＥＤ２０を遊技機枠２における内周の全ての縁に設置したが、これに限定されるものでなく、少なくともいずれか１つの縁に設置する構成としても良い。
【００３８】
また、光源基板１９は、遊技機枠２の内周の縁に直接固定しても良いし、遊技機枠２に固定される要素（固定用部材）を介して間接的に遊技機枠２の内周の縁に固定しても良い。固定用部材は、例えば光源基板１９とほぼ同一形状を有する板状部材であっても良い。
【００３９】
また、本実施例では、光源２０の発する光は、遊技機枠２に固定された遊技盤３の外周面を形成する各端面（上端面３Ａ、下端面３Ｂ、左端面３Ｃ及び右端面３Ｄ）から遊技盤３の内部に入射されるが、本発明はこれに限定されない。遊技機１は、遊技機枠２に固定された光源２０の発する光が、遊技盤３の前面や裏面から内部に入射されるように構成されていてもよい。すなわち、遊技機１の遊技機枠２において、光源２０は、遊技盤３を照射可能な位置に設けられていれば良い。
【００４０】
また、遊技機１において、遊技盤３を透光性樹脂に光拡散材を含有した光拡散板により形成しても良い。これにより、光源２０からの入射光が遊技盤３の内部に混じり込んだ光拡散材により散乱し、遊技領域３１を含む遊技盤３の表面をより強く面発光させることができる。
【００４１】
また、遊技機１において、遊技盤３の背面側に、遊技盤３の内部における光の乱反射を促進させるための凹凸形状（光拡散パターン）を形成しても良い。これにより、光源２０から遊技盤３の内部に入射した光を遊技盤３の前面に効率よく取り出すことができ、遊技領域３１を含む遊技盤３の表面を効率的に面発光させることができる。
【００４２】
また、遊技機１において、遊技盤３の裏側に従来よりも削減した個数のＬＥＤ（光源）を配置し、遊技機枠２に配置されたＬＥＤ（光源）２０と遊技盤３の裏側に配置されたＬＥＤとを併用して遊技盤３の表面を面発光させても良い。これにより、遊技機１は、遊技盤ユニットの奥行寸法の縮小しつつ、遊技盤３の表面を広く面発光させることができる。
【符号の説明】
【００４３】
１  遊技機                            ２  遊技機枠
２Ａ  上縁                            ２Ｂ  下縁
２Ｃ  左縁                            ２Ｄ  右縁
３  遊技盤                            ３Ａ−３Ｄ  端面
３１  遊技領域                        ３２  発射通路
３３  右打ち通路                      ３４  表示窓
３５  係合孔                          ４  表示装置
５  前扉                              ５１  ガラス板
６  発射ハンドル                      ７  球貯留皿
８  発射装置                          ９Ａ、９Ｂ  ガイドレール
１０  装飾部材                        １１  遊技釘
１０１  ワープ孔                      １２  ステージ
１３  始動入賞口                      １４  大入賞装置
１５  スルーチャッカ                  １６  一般入賞口
１７  アウト口                        １８  ロックレバー
１９  光源基板                        ２０  ＬＥＤ（光源）
２１  透明カバー
【図１】
2019098014.tif 000003
【図２】
2019098014.tif 000004
【図３】
2019098014.tif 000005
【図４】
2019098014.tif 000006
【図５】
2019098014.tif 000007